(57)【要約】      （修正有）【課題】変調指数を一定に保ち通信の安定性を向上した読み取り機を提供する。【解決手段】無線高性能デバイス読取機１０４の変調指数を自動的に調整するシステム、方法、及びコンピュータプログラム製品が開示される。一の態様によれば、無線高性能デバイス読取機の変調指数を自動的に調整する方法（無線高性能デバイス読取機で実行される）を含み、それは無線高性能デバイス１０２から信号を受信するステップを含む。カードからの信号を受信し、信号のパラメータが決定される。其の信号のパラメータを用いて少なくとも１つの送信パラメータを決定する。送信機の変調指数を調整するため、送信パラメータが無線高性能デバイス読取機の送信機に適用される。【選択図】図１
2009044713.tif 000002
【特許請求の範囲】
【請求項１】
無線高性能デバイス読取機の変調指数を自動的に調整する方法であって、前記方法は：
無線高性能デバイス読取機で：
無線高性能デバイスから信号を受信するステップ；
前記信号のパラメータを決定するステップ；
前記信号の前記パラメータを用いて少なくとも１つの送信パラメータを決定するステップ；及び
送信機の変調指数を調整するため、前記少なくとも１つの送信パラメータを前記無線高性能デバイス読取機の前記送信機に適用するステップ
を有する無線高性能デバイス読取機の変調指数を自動的に調整する方法。
【請求項２】
前記信号の前記パラメータは、前記信号の振幅を含む請求項１記載の方法。
【請求項３】
前記少なくとも１つの送信パラメータは、前記送信機の無線送信利得設定を含む請求項１記載の方法。
【請求項４】
少なくとも１つの送信パラメータを決定するステップは、前記パラメータを前記少なくとも１つの送信パラメータにマップするデータベースへの問い合わせを含む請求項１記載の方法。
【請求項５】
前記少なくとも１つの送信パラメータを決定するステップは、前記受信した信号の変調指数と所望の変調指数との間の差から、前記少なくとも１つの送信パラメータを計算することを含む請求項１記載の方法。
【請求項６】
前記無線高性能デバイスは、非接触カード、非接触フォブ、及びソフトカードが備えられた携帯電話又は個人用デジタル補助装置（PDA）の１つを含む請求項１記載の方法。
【請求項７】
前記信号の前記パラメータを決定するステップは：
前記信号から振幅ピークデータを取得するために前記信号をフィルタにかけるステップ；及び
前記振幅ピークデータを、前記少なくとも１つの送信パラメータを決定するのに用いられるデジタルデータに変換するステップ
を有する請求項１記載の方法。
【請求項８】
前記信号をフィルタにかけるステップは、13.56 MHzバンドパスフィルタを用いてフィルタリングすることを含む請求項７記載の方法。
【請求項９】
前記信号は変調された振幅と非変調の振幅とを含む変調信号を含み、前記方法はさらに、前記非変調の振幅と前記変調された振幅とを用いて前記送信機の変調指数を計算するステップを有し、前記少なくとも１つの送信パラメータは前記計算された変調指数を用いて決定される請求項１記載の方法。
【請求項１０】
前記変調指数は(a-b)/(a+b)を計算することによって決定され、aは前記非変調の振幅を表し、bは前記変調された振幅を表す請求項９記載の方法。
【請求項１１】
前記少なくとも１つの送信パラメータは、前記送信機の送信利得設定を含む請求項９記載の方法。
【請求項１２】
前記無線高性能デバイスは、非接触カード、非接触フォブ、及びソフトカードが備えられた携帯電話又は個人用デジタル補助装置（PDA）の１つを含む請求項９記載の方法。
【請求項１３】
前記計算ステップは、前記変調指数が以前に記憶された変調指数と異なる場合にのみ実行される請求項９記載の方法。
【請求項１４】
継続して前記信号を受信するステップ、及び前記変調指数の値を制御するため、前記少なくとも１つの送信パラメータを、前記信号の前記パラメータに基づいて閉ループ法で調整するステップを有する請求項１記載の方法。
【請求項１５】
前記非変調の振幅と前記変調された振幅とをそれぞれ決定するため、前記信号がフィルタにかけられる請求項９に記載の方法。
【請求項１６】
13.56 MHzバンドパスフィルタを用いて前記信号がフィルタにかけられる請求項１５に記載の方法。
【請求項１７】
無線高性能デバイスから信号を受信する送受信機；並びに
前記信号のパラメータを決定し、前記信号の前記パラメータを用いて少なくとも１つの送信パラメータを決定し、及び前記送受信機の変調指数を調整するため、前記少なくとも１つの送信パラメータを前記送受信機に適用するための処理装置；
を有する、変調指数を自動的に調整するための無線高性能デバイス読取機。
【請求項１８】
前記信号の前記パラメータは、前記信号の振幅を含む請求項１７記載の無線高性能デバイス読取機。
【請求項１９】
前記少なくとも１つの送信パラメータは、前記送受信機の無線送信利得設定を含む請求項１７記載の無線高性能デバイス読取機。
【請求項２０】
前記無線高性能デバイスは、前記信号内の前記パラメータを前記少なくとも１つの送信パラメータにマップするデータベースへ問い合わせるのに適合する請求項１７記載の無線高性能デバイス読取機。
【請求項２１】
前記無線高性能デバイス読取機は、前記受信した信号の変調指数と所望の変調指数との間の差から、前記少なくとも１つの送信パラメータを計算するのに適合する請求項１７記載の無線高性能デバイス読取機。
【請求項２２】
前記無線高性能デバイスは、非接触カード、非接触フォブ、及びソフトカードが備えられた携帯電話又は個人用デジタル補助装置（PDA）の１つを含む請求項１７記載の無線高性能デバイス読取機。
【請求項２３】
前記無線高性能デバイスは：
前記信号から振幅ピークデータを取得するために前記信号をフィルタにかけ；及び
前記振幅ピークデータを、前記少なくとも１つの送信パラメータを決定するのに用いられるデジタルデータに変換する
のに適合する請求項１７記載の無線高性能デバイス読取機。
【請求項２４】
前記無線高性能デバイスはさらに、13.56 MHzバンドパスフィルタを用いてフィルタリングするのに適合する請求項２３記載の無線高性能デバイス読取機。
【請求項２５】
前記信号は変調された振幅と非変調の振幅とを含む変調信号を含み、前記処理装置は、前記非変調の振幅と前記変調された振幅とを用いて変調指数を計算するのに適合し、前記処理装置は、前記計算された変調指数を用いて前記少なくとも１つの送信パラメータを決定するのに適合する請求項１７記載の無線高性能デバイス読取機。
【請求項２６】
前記処理装置は、 (a-b)/(a+b)を計算することによって前記変調指数を決定するのに適合し、aは前記非変調の振幅を表し、bは前記変調された振幅を表す請求項２５記載の無線高性能デバイス読取機。
【請求項２７】
前記少なくとも１つの送信パラメータは、前記送受信機の送信利得設定を含む請求項２５記載の無線高性能デバイス読取機。
【請求項２８】
前記無線高性能デバイスは、非接触カード、非接触フォブ、及びソフトカードが備えられた携帯電話又は個人用デジタル補助装置（PDA）の１つを含む請求項２５記載の無線高性能デバイス読取機。
【請求項２９】
前記処理装置は、前記変調指数の値を制御するため、前記信号の前記パラメータに基づいて、閉ループ法で前記少なくとも１つの送信パラメータを継続して更新する請求項１７記載の無線高性能デバイス読取機。
【請求項３０】
前記非変調の振幅と前記変調された振幅とをそれぞれ決定するため、前記信号がフィルタにかけられる請求項２５記載の無線高性能デバイス読取機。
【請求項３１】
13.56 MHzバンドパスフィルタを用いて前記信号がフィルタにかけられる請求項３０記載の無線高性能デバイス読取機。
【請求項３２】
無線高性能デバイス読取機で：
無線高性能デバイスから信号を受信するステップ；
前記信号のパラメータを決定するステップ；
前記信号の前記パラメータを用いて少なくとも１つの送信パラメータを決定するステップ；及び
前記送信機の変調指数を調整するため、前記少なくとも１つの送信パラメータを前記無線高性能デバイス読取機の送信機に適用するステップ
を有するステップを実行するための、コンピュータ読取り可能な媒体に表現されコンピュータで実行可能な命令を含むコンピュータプログラム製品。
【発明の詳細な説明】
【技術分野】
【０００１】
（関連する出願）
この出願は、米国仮特許出願No. 60/921,158, 2007年3月30日出願の利益を主張し、その開示は参照することにより全体が本書に援用される。
本書に記述される主題は、無線高性能デバイスを用いた効果的な非接触の支払い及び他の取引に関する。さらに本書に記述される主題は、無線高性能デバイス読取機の変調指数を自動的に調整するシステム、方法、及びコンピュータプログラム製品に関する。
【背景技術】
【０００２】
銀行取引のためのクレジットカード及びデビットカードの使用の成功と広範囲の普及により、銀行や金融機関のようなカード発行会社は、従来の磁気ストライプ（"マグストライプ（magstripe）"）クレジットカードを用いるより価値があり有力な特徴を顧客に提供する手段として、無線高性能デバイスに取組んできた。
【０００３】
本書で使用される "高性能デバイス"という用語は処理能力のあるデバイスをいう。高性能デバイスは、そこから読み込まれるだけでなく書き込まれてもよいオンボードメモリ又は他の記憶容量を有してもよく、さらに特定の機能を実行する１又はそれ以上のアプリケーションを含んでもよい。いくつかの高性能デバイスは、オペレーティングシステム及び／又はユーザインターフェースを含んでもよい。
【０００４】
本書で使用される "無線高性能デバイス"という用語は、前記デバイスといくつかの他の構成要素との間で電場及び／又は磁場により無線通信可能な高性能デバイスをいい、通常は無線端末又は読取機である（例えば、非接触カードリーダ又は無線高性能デバイス読取機）。無線高性能デバイスの例は、非接触カード、非接触フォブ、並びにソフトカードが備えられた携帯電話及びPDAを含む。無線高性能デバイスと無線高性能デバイス読取機との間で用いることができる無線通信の１つの方式は、近距離通信（NFC）である。近距離通信の１つの形式において、デバイス読取機アンテナのデバイスアンテナへの誘導結合により、無線高性能デバイスが無線高性能デバイス読取機と通信してもよい。１つが前記デバイス上にあり、１つが前記デバイス読取機上にある２つのループアンテナは、電磁場を生成するため効果的にトランスフォーマ（transformer）を形成する。前記無線高性能デバイス読取機は、無線周波数（RF）を操作するために振幅変調(AM)を用いるか、又は情報を前記デバイスに送信するために電磁場を用いる。次に前記デバイスは、前記デバイスアンテナへの負荷（loading）を調整することにより前記デバイス読取機と通信し、それは結果として前記デバイス読取機アンテナへの負荷（loading）を調整する。
【０００５】
消費者によって広範囲に用いられるいくつかの無線高性能デバイスは、無線高性能デバイス読取機によって送信されたデータを読取るために典型的に１００％未満の変調を必要とする。例えば、ISO 14443 タイプ Bカードは、無線高性能デバイスで入力データが正確に読取られるために公称１０％変調指数（MI）を必要とする。本書で使用される "変調指数"という用語は、変調された信号と非変調の信号又は関数との間の関係の指標をいう。一例において前記変調指数は、例えば信号の非変調の振幅と変調された振幅との差を、前記信号の前記非変調の振幅と前記変調された振幅との和で除したものであり、差の比の百分率で表されてもよい。換言すれば、変調指数は (a-b)/(a+b)に等しく、ここでaは信号の前記非変調の振幅であり、bは信号の前記変調された振幅である。
【０００６】
前記読取機アンテナへの負荷を変えるための多くの因子が存在する。例えば、種々のカードは、これらのカードのそれぞれが前記読取機アンテナに向かって場の中を動いた時に読取機アンテナに対し異なる負荷を示す（すなわち、個々のカードは、場の中で所定の距離でそれが動く時に、前記読取機アンテナに対してカードが示す装荷に関して一意的であり得る）。
【発明の開示】
【発明が解決しようとする課題】
【０００７】
前記アンテナ上の負荷が異なるため、これは次に送信データの変調指数の変化を生じさせる。結果として、前記デバイス読取機のアンテナ上のこれら負荷の変化は、タイプ Bカードが場合によっては読取機と通信するのを妨げる。さらに、消費者によって使用される幾つかの異なるタイプのカードが存在するため、静的変調指数はそれぞれ及び全てのカードと最適に通信することができない。変動する変調指数を制御する試みが行われないとすれば、いくつかのカードは読取りできないか、又は受信したデータが誤って解釈される可能性がある。このように、送信される変調指数を正しい値に保つため、又は、前記デバイス読取機に提示されるであろう種々のカードに適合するよう、送信される変調指数を所定の範囲の値内に保つため、前記変調指数を調整することが好ましい。
【０００８】
従って、無線高性能デバイス読取機の変調指数を自動的に調整するシステム、方法、及びコンピュータ製品への要求がある。
【課題を解決するための手段】
【０００９】
一の態様によれば、本書に記述される主題は、無線高性能デバイス読取機の変調指数を自動的に調整する方法を含む。無線高性能デバイス読取機で実行される前記方法は、無線高性能デバイスから信号を受信するステップを含む。前記信号のパラメータが決定される。前記方法は、前記信号の前記パラメータを用いて少なくとも１つの送信パラメータを決定するステップをも含む。前記送信機の変調指数を調整するため、前記送信パラメータが前記無線高性能デバイス読取機の送信機に適用される。
【００１０】
無線高性能デバイス読取機の変調指数を自動的に調整するための本書に記述される主題は、ハードウェア、ソフトウェア、ファームウェア、又はそれらのあらゆる組合せに実装されてよい。そのようなものとして、本書に使用される"機能"又は"モジュール"という用語は、記述される特徴（feature）を実行するためのハードウェア、ソフトウェア、及び／又はファームウェアをいう。１つの典型的な実行において、本書に記述される主題は、コンピュータ読取り可能な媒体に表現されコンピュータで実行可能な命令を含むコンピュータプログラム製品を用いて実行されてよい。本書に記述される主題を実行するのに適した典型的なコンピュータ読取り可能な媒体は、ディスクメモリ装置（disc memory devices）、チップメモリ装置（chip memory devices）、プログラム可能論理回路（programmable logic devices）、特定用途向け集積回路、及びダウンロード可能な電気信号（downloadable electrical signals）を含む。さらに、本書に記述される主題を実行するコンピュータプログラム製品は、単一の素子(device)若しくは計算プラットホームに存在することができ、又は複数の素子若しくは計算プラットホームに分散されることができる。
【発明を実施するための最良の形態】
【００１１】
本書に記述される主題は、無線高性能デバイス読取機の変調指数を自動的に調整するシステム、方法、及びコンピュータプログラム製品を含む。上記したように、変調指数(MI)は非変調の信号と変調された信号との間の関係の指標である。一実施形態において、AM信号に対して前記変調指数は、変調された搬送波信号の振幅、及び変調を少しも利用していない搬送波信号の振幅の測定を行うことにより決定されるであろう。それから、前記変調指数を導くため、これらの値は差の比の百分率に当てはめられるであろう。一実施形態において、電界強度（field strength）センサがゼロデータ値を検出した時に前記変調された信号の測定が得られ、それにより、もとの波形の高さに対して特定の割合（例えば、９０％）に前記信号が低下する。本書の主題に関し、前記変調指数を調整することの重要性が以下に記述される。
【００１２】
図１は、この主題の一態様に従う典型的な非接触の支払いシステム１００を示すブロック図である。一実施形態において、システム１００は、無線高性能デバイス１０２、無線高性能デバイス読取機１０４、及び販売時点管理（POS）ユニット１０６を有していてよい。無線高性能デバイス１０２は、無線ＩＣタグ（RFID）カード、内蔵された無線チップを有するクレジットカード、及び無線又は非接触の支払い取引を支援可能なあらゆる他の同様なカードを有していてよい。一実施形態において、無線高性能デバイス（例えば、マスターカードペイパス（登録商標）カード）は電磁気ストライプを必要とせず、その代わりに埋め込みチップ（例えば、安全なマイクロコントローラ又は他のデバイス）、内部メモリ、及び小アンテナ１２８を有していてよい。無線周波数技術によって、無線高性能デバイス技術は、迅速で安全な取引を実現するだけでなく個人情報の保護を必要とする用途（例えば、交通料金支払カード、自動販売機購入等）に用いられる。無線高性能デバイスは、カード上で安全にデータの管理、記録、及びデータへのアクセスを提供することを可能とし、オン-カード機能（例えば、暗号化）を実行すると共に無線高性能デバイス読取機と知的に情報をやり取りする。無線高性能デバイス技術は、プラスチックカード、キーフォブ、及び他の携帯用（handheld）デバイス（例えば、携帯電話に組み込まれる）のような種々の形態を採ることができる。非接触カード内のチップは、従来のクレジットカード又はデビットカードの電磁気ストライプによって保持されるのと同一の情報を含む。
【００１３】
無線高性能デバイス読取機１０４は、無線高性能カード又はあらゆる他の非接触支払タイプのカードを読取り可能な、あらゆる非接触カードリーダ（例えば、無線ＩＣタグリーダ）を含んでよい。一実施形態において、デバイス読取機１０４は、処理装置１０８、送受信機ユニット１１０、フィルタ１１６、アナログ-デジタルコンバータ（ADC）１１８、及びデータベース１２０を含んでよい。処理装置１０８は、カード読取り機能を制御するコンピュータプログラム（例えば、ソフトウェア、ファームウェア等）を実行可能な、あらゆるプロセッサ、マイクロコントローラ、又は中央処理装置(CPU) を含んでよい。一実施形態において、処理装置１０８は、デバイス読取機１０４を操作するためのファームウェアプログラム（例えば、Ｃ言語で記述されている）を実行するよう構成される、内蔵されたARMベースのプロセッサ（例えば、ARM7プロセッサ）を含んでよい。
【００１４】
送受信機ユニット１１０は、無線高性能デバイス１０２に無線周波数（RF）信号を送信（及び無線高性能デバイス１０２からRF信号を受信）可能な、無線コントローラチップのようなあらゆるデバイスを含んでよい。一実施形態において、送受信機ユニット１１０は、アンテナ１１２及び電界強度（field strength）センサ１１４の制御及び監視に関与するデバイス読取機１０４内の構成部品である。アンテナ１１２は、電磁場を伝える変換要素を含んでよい。無線高性能デバイス１０２の内蔵アンテナ１２８との通信を確立するため、アンテナ１１２は電磁場を用いてよい。すなわち、デバイス１０２は、生成された電磁場から電力（power）を引き出し、デバイス読取機１０４に信号を送信することができる。一実施形態において、アンテナ１１２は閉ループアンテナ又はそれと同等のものを含んでよい。電界強度センサ１１４は、デバイス読取機１０４によって生成される電磁場の強度を、送受信機ユニット１１０が測定できるようにする構成部品である。生成される電磁場は、無線高性能デバイス１０２のアンテナ１１２への接近に応じて変動する。一実施形態において、電界強度センサ１１４は、アンテナ１１２の周りに巻かれた（例えば、アンテナ１１２の少なくとも１つの先頭に取り付けられた）フェライトコイル又はセンサを含んでよい。例えば、電界強度センサ１１４の一端が接地され、他端がアナログ-デジタルコンバータ（ADC）１１８に接続されてもよい。
【００１５】
高性能デバイス１０２と通信するため、送受信機ユニット１１０は、振幅変調(AM)を用い電磁場（すなわち、電場検出器（detector field））を介して信号を送信する。一実施形態において、電磁場は13.56 MHzで振動する。電磁場を極めて速くオンオフすることにより（例えば、電力を速くオンオフすることにより）、送受信機ユニット１１０は無線高性能デバイス１０２に一連のデータを送信することができる。同様に、生成された電磁場から電力を引き出すことにより、デバイス１０２は、自身のアンテナ１２８に短絡（short circuit）を生じさせてデバイス読取機１０４に応答することができる。前記短絡はアンテナ１１２により多くの負荷を生じさせ、それはデバイス１０２からの通信として電界強度センサ１１４により容易に検出され読取られる。
【００１６】
フィルタ１１６は、不要な周波数又は雑音を抑制可能なあらゆる電子回路デバイスを含んでよい。一実施形態において、波形の周期でなく、信号の波形包絡線（waveform envelope）のピークのみが識別されるような方法で、フィルタ１１６は受信した13.56 MHz波形をフィルタするバンドパスフィルタであってよい。
【００１７】
アナログ-デジタルコンバータ（ADC）１１８は、連続したアナログ信号を不連続なデジタル数字に変換する電子回路を含んでよい。つまり、信号の強度を増幅し、又はその周波数を変えてデータを付加又は除去して連続した送信信号を変調することにより、アナログ情報が送信される。デジタル情報は、非連続なデータ又は事象に基づくあらゆるシステムを記述する。データをデジタル形で扱うコンピュータは、信号が読取られる前にその信号をアナログからデジタルに変換するアナログ-デジタルコンバータを必要とする。図１はADC１１８を独立した部品として記述するが、ADC１１８は処理装置１０８の一部として一体となっていてもよい。
【００１８】
データベース１２０は、メモリ及びそれと同等のもののように、データを保持するあらゆるメモリ構造を含んでよい。一実施形態において、データベース１２０は、デバイス読取機１０４の無線周波数利得段を調整する送信パラメータを含むテーブルであってよい。これらの無線パラメータは、送受信機ユニット１１０に設定されてデバイス読取機１０４の変調指数を変化させる値を含んでよい。これらのパラメータは、前記テーブルに配置された所定の２進数であってよい。
【００１９】
販売時点管理（POS）ユニット１０６は、レジ及びそれと同等のもののような、あらゆる販売時点管理場所（location）又は端末を含んでよい。一実施形態において、POSユニット１０６は、通信ケーブル１３０を介してデバイス読取機１０４に接続されている。
【００２０】
図２は、本書に記述される主題の一態様に従う、非接触カードの変調指数を自動的に調整する典型的な方法２００のステップを示すフロー図である。図２は、ISO 14443カードタイプに関する変調指数調整の単純化した説明であるが、他のカードタイプへの使用は全体として本書に記述される主題の範囲内にある。図２に関し、ブロック２０２において、無線高性能デバイス読取機は、無線高性能デバイスから信号を受信する。一実施形態において、デバイス読取機１０４は、アンテナ１１２によって送信される電磁場を生成する。無線高性能デバイス１０２は、デバイス読取機１０４の電磁場内に置かれ（例えば、支払取引のためカードを通す）、それはデバイス１０２からデバイス読取機１０４へ信号が送信されるのを可能にする。特に、無線高性能デバイス１０２が前記電磁場内に置かれると、デバイス１０２は前記電磁場からデバイス読取機１０４にデータを送信するために必要な電力を得る。送信されるデータは、口座情報、個人データ、又は同等のものであってよい。一実施形態において、デバイス１０２は一時的（temporary）短絡アンテナ１２８によってデータを送信し、その後にそれはアンテナ１１２の負荷を増大させる。負荷の変化は電界強度センサ１１４によって検出され、異なる２進数として読取られる。いくつかの実施形態において、高性能デバイス１０２は、初期化処理を実行するか、又はデバイス読取機１０４とハンドシェイキング手続きを実行してもよい。
【００２１】
ブロック２０４において、受信した信号の振幅のような信号パラメータが測定される。一実施形態において、電界強度センサ１１４はデバイス１０２から（アンテナ１１２を介して）受信した信号の振幅（すなわち、信号パラメータ）を読取る。さらに、電界強度センサ１１４は、前記信号を読取った後に続いてフィルタにかけてもよく、それは読取りが困難な完全な13.56 MHz波形として最初に受信されてもよい。つまり、包絡線（envelope）のピークのみがうまく通過する方法で、受信した信号を調整するためにフィルタ１１６を使用するよう、送受信機ユニット１１０が構成されてよい。このフィルタリング過程は、前記波形の絶対高さを決定するのを可能にする。
【００２２】
ブロック２０６において、送信パラメータのためにデータベースが問い合わせられる。一実施形態において、（フィルタ１１６及びADC１１８を経由して）処理装置１０８はデジタル信号データを受信し、さらに、無線高性能デバイス１０２を読取るのに最適なレベルに変調指数を調整するために必要な送信パラメータ（例えば、無線チップパラメータ設定）を決定するため、処理装置１０８はデータベース１２０に問い合わせる。一実施形態において、データベース１２０は、無線チップ送受信機ユニットのための所定の一連の送信パラメータ（又は少なくとも１つの送信パラメータ）に対し、搬送波振幅がマップされた(map)所定のテーブルを含んでよい。
【００２３】
ブロック２０８において、送受信機ユニット１１０が調整される。一実施形態において、正しい変調指数が用いられるよう、処理装置１０８は送受信機の無線周波数段（RF stage）の利得を調整する。特に、送受信機の利得設定が必要な変調指数を生成するよう、処理装置１０８は前記送信パラメータに従って送受信機ユニット１１０の設定を調整し、それによりデバイス読取機１０４が無線高性能デバイス１０２と最適に通信可能となる。
【００２４】
ブロック２１０において、データが送信される。一実施形態において、送受信機ユニット１１０は、新たな変調指数設定でデバイス１０２へ信号を送信する。例えば、前記信号は、無線高性能デバイス１０２からの命令要求データであってよい。送受信機が理想的な変調指数で信号を送信するため、デバイス１０２は問題なく前記信号を受信することができる。その後、方法２００は終了する。
【００２５】
一実施形態において、閉ループ法で変調指数を調整するのに必要な利得を決定するため、処理装置１０８は、連続基底（continual basis）で受信した波形をサンプリングする。このような実行において、処理装置１０８は前記信号のパラメータを再測定し、好ましい変調指数を維持するのに必要な利得を連続的に計算し又は調べる。
【００２６】
図２に示される例において、処理装置１０８は、（連続基底でデバイス１０２から受信した信号のサンプリングに応答して）連続基底でデータベース１２０に送信パラメータを問い合わせるよう構成されてもよい。同様に、データベースに問い合わせる代わりに、処理装置１０８は、デバイス１０２からの信号が受信された時に連続基底で変調指数を計算するのに適していてもよい。例えば、この処理は図３に表され、それは本書に記述される主題の一態様に従う、非接触カードの変調指数を自動的に調整する第２の典型的な方法３００のステップを示すフロー図である。図３は、ISO 14443カードタイプに関する変調指数調整の単純化した説明であるが、他のカードタイプへの使用は全体として本書に記述される主題の範囲内にある。図３に関し、ブロック３０２において、無線高性能デバイス読取機は、無線高性能デバイス１０２から信号を受信する。一実施形態において、デバイス読取機１０４は、アンテナ１１２によって送信される電磁場を生成する。無線高性能デバイス１０２は、デバイス読取機１０４の電磁場内に置かれ（例えば、カード通し支払取引）、それはデバイス１０２からデバイス読取機１０４へ信号が送信されるのを可能にする。
【００２７】
ブロック３０３において、受信した信号の振幅が測定される。一実施形態において、電界強度センサ１１４は、デバイス１０２から（アンテナ１１２を介して）受信した信号の搬送波振幅（すなわち、非変調の搬送波振幅と変調された搬送波振幅と）を読取る。例えば、電界強度センサ１１４は、前記受信した信号から非変調の搬送波振幅と変調された搬送波振幅との両方を読取った後、続いてフィルタにかけてもよい。つまり、前記非変調の搬送波振幅と前記変調された搬送波振幅との包絡線（envelope）のピークのみがうまく通過する方法で、受信した信号を調整するためにフィルタ１１６を使用するよう、送受信機ユニット１１０が構成されてもよい。
【００２８】
ブロック３０４において、前記変調指数（MI）が計算される。一実施形態において、処理装置１０８は、前記非変調及び変調された搬送波振幅値を式に当てはめ、前記変調指数を決定する。例えば、前記変調指数は、式MI=(a-b)/(a+b)を用いることによって決定されてもよく、aは前記非変調の搬送波振幅であり、bは前記変調された搬送波振幅である。前記変調指数が計算されると、後で参照するため処理装置１０８によって前記変調指数値が記憶される。
【００２９】
ブロック３０６において、前記変調指数が前の値から変化したか否かが判定される。一実施形態において、処理装置１０８は、前記変調指数の最新の計算値と、以前に記憶され計算された変調指数値とを比較する。２つの変調指数値が異ならない場合（例えば、所定の閾値の割合以内で異ならない場合）、処理装置１０８は、最新の変調指数が無線高性能デバイス１０２と通信するのに充分であるとみなし、方法３００はブロック３０２にループバックする。代わりに、変調指数値が異なる場合（例えば、所定の閾値の割合を超える場合）、さらなる処理のため、方法３００はブロック３０８に進む。
【００３０】
ブロック３１０において、送受信機ユニット１１０が調整される。一実施形態において、処理装置１０８は、計算された変調指数に従って送受信機の無線周波数段（RF stage）の利得設定（例えば、送信利得設定）を調整する。これにより、新たに指定された変調指数がデバイス読取機１０４をデバイス１０２と最適に通信できるよう、アンテナ１１２が調整される。
【００３１】
ブロック３１２において、データが送信される。一実施形態において、送受信機ユニット１１０は、新たな変調指数を用いてデバイス１０２へ信号を送信する。例えば、前記信号は、無線高性能デバイス１０２からの命令要求データであってよい。送受信機が理想的な変調指数で信号を送信するため、デバイス１０２は問題なくデバイス読取機１０４と通信することができる。その後、方法３００は終了する。
【００３２】
本書に記述される主題の範囲を逸脱しない限り、本書に記述される主題の各種の詳細を変更してよいことは理解されるであろう。さらに、前述の記述は説明を目的としたものに過ぎず、限定を目的としたものではない。
【図面の簡単な説明】
【００３３】
【図１】本書に記述される主題の一態様に従う典型的な非接触の支払いシステムを示すブロック図。
【図２】本書に記述される主題の一態様に従う、無線高性能デバイス読取機の変調指数を自動的に調整する典型的な方法のステップを示すメッセージフロー図。
【図３】本書に記述される主題の一態様に従う、無線高性能デバイス読取機の変調指数を自動的に調整する第２の典型的な方法のステップを示すメッセージフロー図。
【図１】
2009044713.tif 000003
【図２】
2009044713.tif 000004
【図３】
2009044713.tif 000005
【外国語明細書】
2009044713000001.pdf